(57)【特許請求の範囲】
【請求項１】
観測装置によって観測された事象を表す事象情報と、前記事象に応じて水処理設備においてなされた操作を表す操作情報と、前記事象が観測された時刻である観測時刻とが対応付けられた履歴情報を取得し、前記事象情報における変化量を、複数の時刻について算出する算出部と、
算出された変化量に基づいて、前記変化量が算出される対象の時刻である対象時刻の間隔を変化させる時間帯を特定する特定部と、
特定された時間帯の前記対象時刻の間隔を、前記特定された時間帯以外の前記対象時刻の間隔よりも短くするよう、前記算出部を制御する変更部と、
前記特定された時間帯について、前記事象情報と、前記操作情報と、前記観測時刻又は前記対象時刻との組を含む提示用情報を、前記履歴情報に基づいて作成する作成部と、
を備え、
前記特定部は、前記事象が発生した場所から前記水処理設備までの距離に応じて、前記時間帯の開始時刻を定める、
情報作成装置。
【請求項２】
前記事象情報は、前記水処理設備に関する雨量を表す情報である、請求項１に記載の情報作成装置。
【請求項３】
前記事象情報は、前記水処理設備に関する水位を表す情報である、請求項１に記載の情報作成装置。
【請求項４】
前記事象情報は、前記水処理設備に関する濁度を表す情報である、請求項１に記載の情報作成装置。
【請求項５】
前記作成部は、前記履歴情報を表示部に表示させる、請求項１から請求項４のいずれか一項に記載の情報作成装置。
【請求項６】
観測装置によって観測された事象を表す事象情報と、前記事象に応じて水処理設備においてなされた操作を表す操作情報と、前記事象が観測された時刻である観測時刻とが対応付けられた履歴情報を取得し、前記事象情報における変化量を、複数の時刻について算出する算出部と、
算出された変化量に基づいて、前記変化量が算出される対象の時刻である対象時刻の間隔を変化させる時間帯を特定する特定部と、
特定された時間帯の前記対象時刻の間隔を、前記特定された時間帯以外の前記対象時刻の間隔よりも短くするよう、前記算出部を制御する変更部と、
前記特定された時間帯について、前記事象情報と、前記操作情報と、前記観測時刻又は前記対象時刻との組を含む提示用情報を、前記履歴情報に基づいて作成する作成部と、
前記提示用情報を表示する表示部と、
前記履歴情報を記憶するデータベースと、
を備え、
前記特定部は、前記事象が発生した場所から前記水処理設備までの距離に応じて、前記時間帯の開始時刻を定める、
情報作成システム。
【請求項７】
情報作成装置における情報作成方法であって、
観測装置によって観測された事象を表す事象情報と、前記事象に応じて水処理設備においてなされた操作を表す操作情報と、前記事象が観測された時刻である観測時刻とが対応付けられた履歴情報を取得し、前記事象情報における変化量を、複数の時刻について算出する算出ステップと、
算出された変化量に基づいて、前記変化量が算出される対象の時刻である対象時刻の間隔を変化させる時間帯を特定する特定ステップと、
特定された時間帯の前記対象時刻の間隔を、前記特定された時間帯以外の前記対象時刻の間隔よりも短くするよう、算出部を制御する制御ステップと、
前記特定された時間帯について、前記事象情報と、前記操作情報と、前記観測時刻又は前記対象時刻との組を含む提示用情報を、前記履歴情報に基づいて作成する作成ステップと、
を含み、
前記特定ステップは、前記事象が発生した場所から前記水処理設備までの距離に応じて、前記時間帯の開始時刻を定める、
情報作成方法。
【発明の詳細な説明】
【技術分野】
【０００１】
本発明の実施形態は、情報作成装置、情報作成システム、及び情報作成方法に関する。
【背景技術】
【０００２】
水処理設備を運転する運転員は、世代交代等によって、熟練度の高い運転員から熟練度の高くない運転員に交代する場合がある。そこで、水処理設備に関する事象の履歴と、その事象に応じて運転員が行った操作の履歴とに基づく履歴情報は、次世代の運転員に継承される必要がある。この履歴情報の情報量は膨大であり、次世代の運転員が履歴情報を十分に活用できない場合があった。
【先行技術文献】
【特許文献】
【０００３】
【特許文献１】特開２００８−５７１８６号公報
【発明の概要】
【発明が解決しようとする課題】
【０００４】
本発明が解決しようとする課題は、水処理設備に関する履歴情報の活用をより容易にできる、情報作成装置、情報作成システム、及び情報作成方法を提供することである。
【課題を解決するための手段】
【０００５】
実施形態の情報作成装置は、算出部と、特定部と、変更部と、作成部とを持つ。算出部は、観測装置によって観測された事象を表す事象情報と、事象に応じて水処理設備においてなされた操作を表す操作情報と、事象が観測された時刻である観測時刻とが対応付けられた履歴情報を取得し、事象情報における変化量を、複数の時刻について算出する。特定部は、算出された変化量に基づいて、変化量が算出される対象の時刻である対象時刻の間隔を変化させる時間帯を特定する。変更部は、特定された時間帯の対象時刻の間隔を、特定された時間帯以外の対象時刻の間隔よりも短くするよう、算出部を制御する。作成部は、特定された時間帯について、事象情報と、操作情報と、観測時刻又は対象時刻との組を含む提示用情報を、履歴情報に基づいて作成する。
【図面の簡単な説明】
【０００６】
【図１】第１の実施形態における、情報作成システムの構成を示す図。
【図２】第１の実施形態における、履歴情報の例を示す図。
【図３】第１の実施形態における、時間帯の開始時刻を定める条件を示す図。
【図４】第１の実施形態における、時間帯の終了時刻を定める条件を示す図。
【図５】第１の実施形態における、履歴情報のグラフ画像を示す図。
【図６】第１の実施形態における、提示用情報の例を示す図。
【図７】第１の実施形態における、情報作成システムの動作を示す図。
【図８】第２の実施形態における、情報作成システムの構成を示す図。
【図９】第２の実施形態における、時間帯の開始時刻を定める条件を示す図。
【図１０】第２の実施形態における、時間帯の終了時刻を定める条件を示す図。
【発明を実施するための形態】
【０００７】
以下、実施形態の情報作成装置、情報作成システム、及び情報作成方法を、図面を参照して説明する。
（第１の実施形態）
図１は、第１の実施形態の情報作成システム１ａの構成を示す図である。情報作成システム１ａは、対象設備１０と、制御装置２０と、第１観測装置３０と、第２観測装置３１と、第３観測装置３２と、中継装置４０と、情報作成装置５０と、情報端末６０とを備える。
【０００８】
情報作成装置５０と情報端末６０は、例えば、情報作成システム１ａの中央操作室に備えられる。情報作成システム１ａは、以下に説明する処理によって履歴情報（ヒストリカル・トレンドデータ）を作成する。情報作成システム１ａは、作成した履歴情報に基づいて、マニュアル（手引書）として使用可能な提示用情報を作成する。提示用情報は、対象設備１０の事象情報（トレンドデータ）と操作情報と時刻との組を、時系列に並べた情報である。情報作成システム１ａは、作成した提示用情報を、対象設備１０の運転員（オペレータ）などに提示する。
【０００９】
事象情報は、対象設備１０の敷地内や敷地外において、各種の観測装置によって観測された事象を表す情報である。これら観測された事象は、例えば、雨雲に含まれる水分の量、局地的な豪雨による降雨量、原水の濁度、取水元の河川の水位、対象設備１０における水位、又は、原水の温度である。これらの事象は、連続値や離散値で表現されてもよい。また、操作情報は、対象設備１０において運転員によってなされた操作を表す情報である。
【００１０】
対象設備１０は、情報作成装置５０によって監視される対象の設備である。対象設備１０は、どのような設備でもよく、特定の設備に限定されない。例えば、対象設備１０は、浄水場、下水処理場、又は産業排水処理設備でもよい。第１の実施形態では、対象設備１０は、一例として、浄水場である。対象設備１０は、取水ゲート１１と、沈砂池１２と、水位計１３と、着水井１４と、濁度計１５と、ポンプＰ１と、フロック形成池１６と、沈澱池１７と、ポンプＰ２と、ろ過池１８と、混和池１９と、浄水池ＣＷと、バルブＢＬとを備える。
【００１１】
取水ゲート１１は、開度に応じて原水を通過させることにより、沈砂池１２に原水を供給する。
沈砂池１２は、原水に含まれる土砂などを沈殿させて、土砂などを原水から除くための池である。
水位計１３は、沈砂池１２の水位を測定する。水位計１３は、沈砂池１２の水位を表す情報を、制御装置２０に出力する。水位を表す情報は、例えば、メートル単位で表される値である。
【００１２】
着水井１４は、フロック形成池１６に供給する水の量を調整するための池である。
濁度計１５は、着水井１４の水の濁度を測定する。濁度計１５は、着水井１４の水の濁度を表す情報を、制御装置２０に出力する。濁度を表す情報は、例えば、ホルマジン標準液を用いて規定される単位(FTU：Formazin Turbidity Unit) で表される値、ＮＴＵ（Nephelometric Turbidity Unit）単位で表される値である。
【００１３】
ポンプＰ１は、制御装置２０による制御に応じて、着水井１４の水をフロック形成池１６に供給する。ポンプＰ１は、運転員による手動操作に応じて、着水井１４の水をフロック形成池１６に供給してもよい。
フロック形成池１６は、注入された凝集剤によって、供給された水に含まれる土砂等から濁質の塊（フロック）を形成する。
【００１４】
沈澱池１７は、形成された濁質の塊を沈澱させるための池である。
ポンプＰ２は、制御装置２０による制御に応じて、沈澱池１７の水をろ過池１８に供給する。ポンプＰ２は、運転員による手動操作に応じて、沈澱池１７の水をろ過池１８に供給してもよい。
【００１５】
ろ過池１８では、沈澱池１７で形成された濁質の塊を、ろ過砂がろ過する。
混和池１９では、注入された薬品が、ろ過された水を消毒する。この薬品は、例えば、塩素やオゾンである。
浄水池ＣＷは、混和池１９で消毒された水を溜める。
バルブＢＬは、制御装置２０による制御に応じて、浄水池ＣＷの水を対象設備１０の外に供給する。バルブＢＬは、運転員による手動操作に応じて、浄水池ＣＷの水を対象設備１０の外に供給してもよい。
【００１６】
制御装置２０は、情報作成装置５０から中継装置４０を介して受信した操作情報に基づいて、対象設備１０を制御する。制御装置２０は、通信部２１と、制御部２２と、データベース２３とを備える。通信部２１と、制御部２２との一部または全部は、例えば、ＣＰＵ（Central  Processing  Unit）等のプロセッサが、メモリに記憶されたプログラムを実行することにより機能するソフトウェア機能部である。また、これらの機能部のうち一部または全部は、ＬＳＩ（Large  Scale  Integration）やＡＳＩＣ（Application Specific  Integrated  Circuit）等のハードウェア機能部であってもよい。
【００１７】
通信部２１は、対象設備１０の事象情報を、対象設備１０から取得する。対象設備１０の事象情報は、例えば、対象設備１０の敷地内の雨の量を表す情報、沈砂池１２の水位情報、着水井１４の水の濁度情報や、管渠の水の流量情報である。
【００１８】
通信部２１は、第１観測装置３０から中継装置４０を介して、第１観測装置３０が観測した事象を表す情報を受信する。第１観測装置３０が観測した事象を表す情報は、例えば、対象設備１０の敷地外の上空の雨雲に含まれている水分の水分量情報である。
【００１９】
通信部２１は、第２観測装置３１から中継装置４０を介して、第２観測装置３１が観測した事象を表す情報を受信する。第２観測装置３１が観測した事象を表す情報は、例えば、第１の取水元における水位情報である。
【００２０】
通信部２１は、第３観測装置３２から中継装置４０を介して、第３観測装置３２が観測した事象を表す情報を受信する。第３観測装置３２が観測した事象を表す情報は、例えば、第２の取水元における水位情報である。
【００２１】
通信部２１は、情報作成装置５０から中継装置４０を介して、操作情報を受信する。通信部２１は、検索要求情報を、情報作成装置５０から中継装置４０を介して受信する。検索要求情報は、履歴情報を検索した結果である検索結果を要求する情報である。履歴情報は、対象設備１０の事象情報と操作情報と時刻との組の履歴を含む。対象設備１０の事象情報は、第１観測装置３０、第２観測装置３１、又は第３観測装置３２が観測した事象を表す情報を含んでもよい。通信部２１は、制御部２２から取得した検索結果を、中継装置４０に送信する。
【００２２】
制御部２２は、情報作成装置５０から中継装置４０を介して受信した操作情報を、通信部２１から取得する。操作情報は、凝集剤などの薬品の注入量を定める情報、紫外線の照射量を定める情報、取水ゲート１１の開度を定める情報、ポンプＰ１の運転情報、ポンプＰ２の運転情報や、バルブＢＬの開度を定める情報等を含んでもよい。操作情報は、対象設備１０の操作モードが自動又は手動のいずれであるかを表す情報等を含んでもよい。
【００２３】
制御部２２は、受信した操作情報に基づいて、通信部２１を介して対象設備１０に制御情報を出力する。制御情報は、対象設備１０を制御する情報である。制御情報は、機器を駆動するための電力の電圧値や電流値を表す情報を含んでもよい。
【００２４】
制御部２２は、対象設備１０に関する事象が、第１観測装置３０、第２観測装置３１又は第３観測装置３２によって観測された場合、対象設備１０の事象情報を、通信部２１から取得する。制御部２２は、対象設備１０に関する事象が、水位計１３又は濁度計１５によって観測された場合、対象設備１０の事象情報を、通信部２１から取得する。制御部２２は、対象設備１０の事象情報と操作情報と時刻との組に基づいて、履歴情報を作成する。制御部２２は、作成された履歴情報を、データベース２３に記憶させる。
【００２５】
制御部２２は、情報作成装置５０から中継装置４０を介して受信した検索要求情報を、通信部２１から取得する。制御部２２は、データベース２３に記憶されている履歴情報を、検索要求情報に応じて検索する。制御部２２は、この検索結果を、通信部２１と中継装置４０を介して、情報作成装置５０に送信する。
【００２６】
制御部２２は、第１観測装置３０が観測した事象を表す情報と、第２観測装置３１が観測した事象を表す情報と、第３観測装置３２が観測した事象を表す情報とを、通信部２１から取得する。制御部２２は、大雨などの異常時では、平常時と比較して相対的に短い時刻の間隔で第１観測装置３０が観測した事象を表す情報を、相対的に短い時刻の間隔で繰り返し取得してもよい。制御部２２は、第１観測装置３０、第２観測装置３１、又は第３観測装置３２が観測した事象を表す情報を時刻に対応付けて、履歴情報を作成してもよい。制御部２２は、作成された履歴情報をデータベース２３に記憶させる。
【００２７】
制御部２２は、特定個所を表す印を、履歴情報に付与する。特定個所を表す印は、例えば、キーワードで表されてもよい。キーワードは、例えば、「自動」、「手動」、「開始」、「変更」、「閾値」、「最大値」や「最小値」などである。キーワードは、対象設備１０の操作情報の勘所（ポイント）を表す単語として、予め定められる。キーワードは、対象設備１０の異常を表す単語として、予め定められてもよい。制御部２２は、検索要求情報に応じた特定個所を表す印が付与された情報を、履歴情報から検索可能である。制御部２２は、検索結果を通信部５１に送信する。
【００２８】
制御部２２は、データベース２３の空き容量が所定容量以下になった場合、通信部２１を介して、情報作成装置５０と情報端末６０にアラームを送信してもよい。制御部２２は、データベース２３の空き容量が所定容量以下になった場合、データベース２３が記憶している履歴情報の少なくとも一部を、不揮発性の記憶媒体に保存してもよい。この記憶媒体は、例えば、光ディスクである。
【００２９】
データベース２３は、作成された履歴情報を記憶する。データベース２３は、フラッシュメモリ、ハードディスクドライブ等の不揮発性メモリ（非一時的な記憶媒体）を有してもよい。したがって、データベース２３は、停電しても履歴情報を保持することができる。また、この不揮発性メモリは、制御部２２がプロセッサである場合、制御部２２を動作させるためのプログラムを記憶してもよい。
以下、単位時間あたりの変化量を「変化量」という。
【００３０】
図２は、第１の実施形態における、履歴情報の例を示す図である。履歴情報の項目は、年月日、時刻、事象及び操作である。図２に示す履歴情報では、年月日「２０１４年１２月１日」と、時刻「ｔ１」と、事象「第１観測装置が観測した雨量の変化量は、閾値ΔＲ１以上」とが対応付けられている。また、年月日「２０１４年１２月１日」と、時刻「ｔ２」と、事象「第２観測装置が観測した濁度の変化量は、閾値ΔＮ１以上」とが対応付けられている。
【００３１】
図２に示す履歴情報では、年月日「２０１４年１２月１日」と、時刻「ｔ３」と、事象「第３観測装置が観測した濁度の変化量は、閾値ΔＮ２以上」とが対応付けられている。また、年月日「２０１４年１２月１日」と、時刻「ｔ４」と、事象「濁度計が観測した濁度の変化量は、閾値ΔＮ３以上。水位計が観測した水位は、閾値Ｌ０以上」とが対応付けられている。
【００３２】
図２に示す履歴情報では、年月日「２０１４年１２月１日」と、時刻「ｔ５」と、操作「ポンプＰ１が運転を開始」と、事象「濁度計が観測した濁度は、Ｎ４」とが対応付けられている。また、年月日「２０１４年１２月１日」と、時刻「ｔ７」と、事象「水位計が観測した水位は、Ｌ１」とが対応付けられている。また、年月日「２０１４年１２月１日」と、時刻「ｔ９」と、事象「濁度計が観測した濁度の変化量は、閾値ΔＮ４以下」とが対応付けられている。
【００３３】
図２に示す履歴情報では、年月日「２０１４年１２月１日」と、時刻「ｔ１０」と、操作「運転員は、取水ゲートを閉じた」とが対応付けられている。また、年月日「２０１４年１２月１日」と、時刻「ｔ１２」と、事象「水位計が観測した水位は、閾値Ｌ０未満」とが対応付けられている。
【００３４】
図１に戻り、情報作成システム１ａの構成の説明を続ける。第１観測装置３０は、対象設備１０の敷地外に予め定められたエリアの事象を観測し、観測した事象を表す事象情報を中継装置４０に出力する。例えば、第１観測装置３０は、雨量計である場合、定められたエリアに振った雨の量を観測してもよい。また、例えば、第１観測装置３０は、雨量レーダである場合、定められたエリアに雨が降る前の雨雲の水分の量を観測してもよい。第１観測装置３０は、大雨などの異常時では、事象を観測する時刻の間隔を、平常時と比較して短い時刻の間隔としてもよい。なお、第１観測装置３０は、平常時である異常時であるかにかかわらず、固定の時刻の間隔で事象を観測してもよい。
【００３５】
第２観測装置３１は、対象設備１０の敷地外に予め定められたエリアの事象を観測し、観測した事象を表す事象情報を中継装置４０に出力する。例えば、第２観測装置３１は、濁度計である場合、定められたエリアに振った雨の濁度を観測してもよい。第２観測装置３１は、大雨などの異常時では、事象を観測する時刻の間隔を、平常時と比較して短い時刻の間隔としてもよい。第３観測装置３２についても同様である。なお、第２観測装置３１と第３観測装置３２は、平常時である異常時であるかにかかわらず、固定の時刻の間隔で事象を観測してもよい。
【００３６】
第１観測装置３０と、第２観測装置３１と、第３観測装置３２とのうち、観測対象の事象が発生した場所から対象設備１０までの距離が最も長い装置は、一例として、第１観測装置３０である。したがって、第１観測装置３０が事象を観測してから、その事象による影響が対象設備１０に生じるまでの遅延時間Ｄ１は、第２観測装置３１の遅延時間Ｄ２と、第３観測装置３２の遅延時間Ｄ３のそれぞれと比較して最も長い。対象設備１０の運転員は、履歴情報に基づいて、遅延時間Ｄ１とＤ２とＤ３とを定めることができる。
【００３７】
また、第１観測装置３０と、第２観測装置３１と、第３観測装置３２とのうち、観測対象の事象が発生した場所から対象設備１０までの距離が最も短い装置は、一例として、第３観測装置３２である。したがって、第３観測装置３２が事象を観測してから、その事象による影響が対象設備１０に生じるまでの遅延時間Ｄ３は、第２観測装置３１の遅延時間Ｄ２と、第１観測装置３０の遅延時間Ｄ１とのそれぞれと比較して最も短い。
【００３８】
中継装置４０は、第１観測装置３０が観測した事象を表す事象情報を、通信回線を介して第１観測装置３０から取得する。中継装置４０は、第１観測装置３０が観測した事象を表す事象情報を、制御装置２０に転送する。
【００３９】
中継装置４０は、第２観測装置３１が観測した事象を表す事象情報を、通信回線を介して第２観測装置３１から取得する。中継装置４０は、第２観測装置３１が観測した事象を表す事象情報を、制御装置２０に転送する。
【００４０】
中継装置４０は、第３観測装置３２が観測した事象を表す事象情報を、通信回線を介して第３観測装置３２から取得する。中継装置４０は、第３観測装置３２が観測した事象を表す事象情報を、制御装置２０に転送する。
【００４１】
中継装置４０は、ＬＡＮ（Local  Area  Network）などのネットワークを介して、制御装置２０、情報作成装置５０や情報端末６０との通信を実行する。中継装置４０は、情報作成装置５０から取得した操作情報を、制御装置２０に転送する。中継装置４０は、情報作成装置５０から取得した検索要求情報を、制御装置２０に転送する。中継装置４０は、情報作成装置５０から取得した提示用情報を、制御装置２０に転送する。中継装置４０は、情報作成装置５０から取得した提示用情報を、情報端末６０に転送してもよい。情報端末６０については後述する。
【００４２】
中継装置４０は、制御装置２０から取得した対象設備１０の事象情報を、情報作成装置５０に転送する。中継装置４０は、制御装置２０から取得した履歴情報を、情報作成装置５０に転送する。中継装置４０は、制御装置２０から取得した検索結果を、情報作成装置５０に転送する。
【００４３】
情報作成装置５０（HIS：Human  Interface  Station）は、提示用情報を作成する。情報作成装置５０は、通信部５１と、操作部５２と、記憶部５３と、制御部５４と、表示部５５とを備える。
【００４４】
通信部５１は、制御部５４から取得した操作情報を、中継装置４０に送信する。通信部５１は、制御部５４から取得した検索要求情報を、中継装置４０に送信する。通信部５１は、制御部５４から取得した提示用情報を、中継装置４０に送信する。
【００４５】
通信部５１は、第１観測装置３０が観測した事象を表す事象情報を、中継装置４０から取得する。通信部５１は、第２観測装置３１が観測した事象を表す事象情報を、中継装置４０から取得する。通信部５１は、第３観測装置３２が観測した事象を表す事象情報を、中継装置４０から取得する。通信部５１は、対象設備１０の敷地外の事象情報を、中継装置４０に送信する。通信部５１は、対象設備１０の事象情報を、中継装置４０から取得する。通信部５１は、対象設備１０の事象情報を、制御部５４に送信する。通信部５１は、中継装置４０から取得した履歴情報を、制御部５４に送信する。
【００４６】
操作部５２は、運転員による操作を受け付ける。操作部５２は、運転員による操作に応じた操作信号を、制御部５４に出力する。運転員による操作に応じた操作信号は、例えば、提示用情報を作成する対象とする時間帯を表す信号である。操作部５２は、例えば、キーボード、マウス、タッチパネルである。操作部５２は、タッチパネルである場合、表示部５５と一体でもよい。
【００４７】
記憶部５３は、ＲＡＭ（Random  Access  Memory）やレジスタ等の揮発性メモリを有する。記憶部５３は、ＲＯＭ（Read  Only  Memory）、フラッシュメモリ、ハードディスクドライブ等の不揮発性メモリ（非一時的な記憶媒体）を有してもよい。この不揮発性メモリは、ＣＰＵ等のプロセッサを動作させるためのプログラムを記憶する。
【００４８】
また、記憶部５３は、時間帯の開始時刻を定める条件と、時間帯の終了時刻を定める条件とを記憶する。この時間帯とは、制御部５４が履歴情報から特定する時間帯である。制御部５４が履歴情報から時間帯を特定する処理については後述する。
【００４９】
図３は、第１の実施形態における、時間帯の開始時刻を定める条件を示す図である。時間帯の開始時刻を定める条件には、事象と、遅延時間と、設定とがある。図３に示す事象は、時間帯の開始時刻を定める条件となる事象である。図３に示す遅延時間は、観測された事象が発生した場所から対象設備１０までの距離に応じて定められる。例えば、観測された事象が発生した場所から対象設備１０までの距離が長いほど、その事象が対象設備１０に影響を与える時刻は遅れるからである。図３に示す設定は、時間帯の開始時刻を定める条件が有効であるか無効であるかを事象ごとに指定する設定情報である。この設定は、例えば、作業員に操作された操作部５２を介して、有効又は無効に定められる。
【００５０】
図４は、第１の実施形態における、時間帯の終了時刻を定める条件を示す図である。時間帯の終了時刻を定める条件には、事象と、遅延時間と、設定とがある。図４に示す事象は、時間帯の終了時刻を定める条件となる事象である。図４に示す遅延時間は、観測された事象が発生した場所から対象設備１０までの距離に応じて定められる。例えば、観測された事象が発生した場所から対象設備１０までの距離が長いほど、その事象が対象設備１０に影響を与える時刻は遅れるからである。図４に示す設定は、時間帯の終了時刻を定める条件が有効であるか無効であるかを事象ごとに指定する設定情報である。この設定は、例えば、作業員に操作された操作部５２を介して、有効又は無効に定められる。
【００５１】
制御部５４は、監視部５４０と、算出部５４１と、特定部５４２と、変更部５４３と、作成部５４４とを備える。監視部５４０と、算出部５４１と、特定部５４２と、変更部５４３と、作成部５４４との一部または全部は、例えば、ＣＰＵ（Central  Processing  Unit）等のプロセッサが、メモリに記憶されたプログラムを実行することにより機能するソフトウェア機能部である。また、これらの機能部のうち一部または全部は、ＬＳＩ（Large  Scale  Integration）やＡＳＩＣ（Application  Specific  Integrated Circuit）等のハードウェア機能部であってもよい。
【００５２】
監視部５４０は、通信部５１を介して、対象設備１０の事象情報を取得する。監視部５４０は、現在の対象設備１０の事象情報を、表示部５５に表示させる。これにより、運転員は、現在の対象装置１０の事象情報を監視することができる。監視部５４０は、現在の対象設備１０の事象情報を、特定の事象ごとに表示部５５に表示させてもよい。これにより、運転員は、現在の対象装置１０の事象情報の情報量が多い場合でも、現在の対象装置１０の事象情報を、特定の事象ごとに監視することができる。特定の事象は、例えば、対象装置１０に発生した異常を表す事象や、対象装置１０の運転状態を表す事象である。監視部５４０は、対象装置１０に発生した異常を作業員に通知するため、表示部５５にアラームを表示させる。
【００５３】
監視部５４０は、通信部５１から取得した検索結果を、表示部５５に表示させてもよい。監視部５４０は、運転員による操作に応じた操作信号に基づいて、検索要求情報を通信部５１に送信する。監視部５４０は、制御装置２０のデータベース２３に記憶されている履歴情報を、制御装置２０の制御部２２と同様に、検索要求情報に応じて検索してもよい。
【００５４】
監視部５４０は、運転員が操作部５２を操作した場合、通信部５１を介して、制御装置２０の制御部２２に検索要求情報を送信する。制御部２２は、検索要求情報に応じた特定個所を表す印が付与された情報を、履歴情報から検索する。制御部２２は、検索結果を通信部５１に送信する。これにより、対象設備１０の運転員は、過去に発生した大雨などの異常時の履歴情報を、データベース２３から容易に呼び出すことができる。
【００５５】
図５は、第１の実施形態における、履歴情報のグラフ画像５５１の例を示す図である。図５に示す履歴情報のグラフは、図２に示す履歴情報をグラフ化したものである。図５に示す履歴情報のグラフの横軸は、時刻を示す。図５に示す履歴情報のグラフの縦軸は、事象情報又は操作情報を示す。履歴情報のグラフ画像５５１は、例えば、表示部５５に表示される。
【００５６】
グラフ画像５５１は、履歴情報のグラフと、開始時刻指定領域５５２と、終了時刻指定領域５５３を含む。開始時刻指定領域５５２は、操作部５２を介して、時間帯の開始時刻を作業員が特定部５４２に指定するための領域である。終了時刻指定領域５５３は、操作部５２を介して、時間帯の終了時刻を作業員が特定部５４２に指定するための領域である。操作部５２は、これらの領域に作業員が時間帯を指定した場合には、時間帯情報を表す信号を特定部５４２に出力する。
【００５７】
図５に示す例では、上段から１段目の事象情報は、第１観測装置３０が観測した雨量を表す情報である。雨量を表す情報は、例えば、ミリメートル単位で表される値である。上段から２段目の事象情報は、第２観測装置３１が観測した濁度を表す情報である。上段から３段目の事象情報は、第３観測装置３２が観測した濁度を表す情報である。上段から４段目の事象情報は、水位計１３が観測した沈砂池１２の水位を表す情報である。上段から５段目の事象情報は、濁度計１５が観測した着水井１４の水の濁度を表す情報である。上段から６段目の操作情報は、ポンプＰ１の運転状態を表す情報である。ポンプＰ１は、一例として、時刻ｔ５に運転を開始した。上段から７段目の操作情報は、取水ゲート１１の運転状態の情報である。取水ゲート１１は、一例として、時刻ｔ１０に閉じられた。
【００５８】
算出部５４１は、事象が観測された時刻である観測時刻から所定時間が経過した以降に、履歴情報をデータベース２３から取得する。この所定時間とは、例えば、１日間、１週間、又は１カ月間である。したがって、算出部５４１は、観測された事象が収束してから、履歴情報をデータベース２３から取得してもよい。算出部５４１は、この取得した履歴情報に含まれている事象情報における変化量（時間微分された値）を、複数の時刻について算出する。
【００５９】
図５に示す例では、算出部５４１は、観測された事象に応じた曲線の変化量を、時刻ｔ０からｔ１３の順に、それぞれの時刻について算出する。図５に示す例では、一例として、第１観測装置３０が観測した事象に応じた曲線の変化量（傾き）は、時刻ｔ１に閾値ΔＲ１以上となった。また、一例として、第２観測装置３１が観測した事象に応じた曲線の変化量（傾き）は、時刻ｔ２に閾値ΔＲ２以上となった。また、一例として、第３観測装置３２が観測した事象に応じた曲線の変化量（傾き）は、時刻ｔ３に閾値ΔＲ３以上となった。また、一例として、濁度計１５が観測した濁度に応じた曲線の変化量（傾き）は、時刻ｔ４に閾値ΔＮ３以上となった。また、一例として、濁度計１５が観測した濁度に応じた曲線の変化量（傾き）は、時刻ｔ９に閾値ΔＮ４未満となった。
【００６０】
特定部５４２は、図３に示す時間帯の開始時刻を定める各条件を、記憶部５３から取得する。特定部５４２は、時間帯の開始時刻を定める各条件のうち、設定が有効である条件を抽出する。特定部５４２は、抽出した条件の少なくとも一つを算出部５４１によって算出された変化量が満たす場合、履歴情報に含まれた時間帯の開始時刻を特定する。
【００６１】
図５に示す履歴情報のグラフ画像５５１の例では、特定部５４２は、事象「第１観測装置が観測した雨量の変化量が、閾値ΔＲ１以上」を満たした時刻ｔ１から、遅延時間Ｄ１が経過した時刻ｔ４を、時間帯の開始時刻と特定する。この時刻ｔ４は、第１観測装置３０が観測した雨量が対象設備１０に影響を与えたと予想される時刻である。
【００６２】
また、特定部５４２は、事象「第２観測装置が観測した濁度の変化量が、閾値ΔＮ１以上」を満たした時刻ｔ２から、遅延時間Ｄ２が経過した時刻ｔ４を、時間帯の開始時刻と特定してもよい。この時刻ｔ４は、第２観測装置３１が観測した濁度が対象設備１０に影響を与えたと予想される時刻である。
【００６３】
特定部５４２は、事象「第３観測装置が観測した濁度の変化量が、閾値ΔＮ２以上」を満たした時刻ｔ３から、遅延時間Ｄ３が経過した時刻ｔ４を、時間帯の開始時刻と特定してもよい。また、特定部５４２は、事象「濁度計が観測した濁度の変化量が、閾値ΔＮ３以上」を満たした時刻ｔ４から、遅延時間０が経過した時刻ｔ４を、時間帯の開始時刻と特定してもよい。なお、特定部５４２は、事象「水位計が観測した水位が、閾値Ｌ０以上」を満たした時刻ｔ４から、遅延時間０が経過した時刻ｔ４を、時間帯の開始時刻と特定してもよい。
【００６４】
特定部５４２は、図４に示す時間帯の終了時刻を定める各条件を、記憶部５３から取得する。特定部５４２は、時間帯の終了時刻を定める各条件のうち、設定が有効である条件を抽出する。特定部５４２は、抽出した条件の少なくとも一つを算出部５４１によって算出された変化量が満たす場合、履歴情報に含まれた時間帯の終了時刻を特定する。
【００６５】
図５に示す履歴情報のグラフ画像５５１の例では、特定部５４２は、事象「濁度計が観測した濁度の変化量は、閾値ΔＮ４未満」を満たした時刻ｔ９から、遅延時間Ｄ４が経過した時刻ｔ１２を、時間帯の終了時刻と特定する。また、特定部５４２は、事象「濁度計が観測した濁度の変化量が閾値ΔＮ４未満、かつ、水位計が観測した水位が閾値Ｌ０未満」を満たした時刻ｔ１２から、遅延時間０が経過した時刻ｔ１２を、時間帯の終了時刻と特定してもよい。
【００６６】
なお、特定部５４２は、開始時刻指定領域５５２と終了時刻指定領域５５３とに作業員が時間帯を指定した場合には、時間帯情報を表す信号を操作部５２から取得し、取得した時間帯情報に基づいて時間帯を特定してもよい。
【００６７】
変更部５４３は、特定された時間帯について変化量が算出される対象の時刻である対象時刻の間隔Ｔ２を、特定された時間帯以外について変化量が算出される対象の時刻である対象時刻の間隔Ｔ１よりも短くするよう、算出部５４１を制御する。例えば、変更部５４３は、異常時を表すトリガー信号に応じて特定された時間帯では、データをサンプリングする周期を、特定された時間帯以外（通常時）よりも短くしてもよい。図５に示す例では、特定された時間帯以外の時刻ｔ０からｔ３までは、算出部５４１は、事象に応じた曲線の変化量（傾き）を、間隔Ｔ１である時刻ｔ０、ｔ１、ｔ２、ｔ３のそれぞれについて算出する。これに対し、特定された時間帯の時刻ｔ４からｔ１２までは、算出部５４１は、事象に応じた曲線の変化量（傾き）を、間隔Ｔ１よりも短い間隔Ｔ２である時刻ｔ４からｔ１２のそれぞれについて算出する。
【００６８】
作成部５４４は、特定部５４２によって特定された時間帯の履歴情報を、通信部５１を介して、制御装置２０から取得する。作成部５４４は、特定部５４２によって特定された時間帯について、所定条件を満たす事象情報と、操作情報と、観測時刻又は対象時刻との組を、履歴情報から抽出する。この所定条件は、どのような条件でもよく、特定の条件に限定されない。例えば、この所定条件は、特定個所を表す印が付与されている事象情報であるという条件である。例えば、作成部５４４は、特定個所を表す印としてのキーワードが付与されている事象情報と操作情報と時刻との組を、履歴情報から抽出する。キーワードは、例えば、「自動」、「手動」、「開始」、「変更」、「閾値」、「最大値」や「最小値」などである。
【００６９】
作成部５４４は、事象情報を表す値と閾値との大小関係に基づいて、事象情報と時刻との組を履歴情報から抽出してもよい。作成部５４４は、事象情報を表す値が所定時間帯における最大値である否かに基づいて、履歴情報から事象情報と時刻との組を抽出してもよい。
【００７０】
作成部５４４は、抽出された事象情報と操作情報と時刻との組に基づいて、提示用情報を作成する。例えば、作成部５４４は、抽出された事象情報と操作情報と時刻との組を時系列に並べることによって、提示用情報を作成する。作成部５４４は、提示用情報を表示部５５に出力する。この提示用情報は、表示部５５に表示される。作成部５４４は、通信部５１を介して、提示用情報を情報端末６０に送信してもよい。この提示用情報は、情報端末６０の表示部６５に表示される。作成部５４４は、通信部５１を介して、提示用情報を制御装置２０に送信してもよい。この提示用情報は、制御装置２０のデータベース２３に記憶される。
【００７１】
図６は、第１の実施形態における、提示用情報の例を示す図である。提示用情報は、特定された時間帯（時刻ｔ４からｔ１２まで）における履歴情報を、時刻の間隔Ｔ１よりも短い時刻の間隔Ｔ２で含んでいる。このため、提示用情報は、対象設備１０の事象情報と操作情報の勘所（ポイント）を含み、対象設備１０のマニュアル（手引書）として使用可能である。また、提示用情報は、履歴情報と比較して情報量が少ないため、データベース２３の容量が小さい場合でも、データベース２３に長期間記憶させておくことができる。
【００７２】
図１に戻り、情報作成システム１ａの構成の説明を続ける。表示部５５は、表示装置である。表示部５５は、画面を備える。表示部５５は、提示用情報を表示する。表示部５５は、現在の対象設備１０の事象情報を表示する。表示部５５は、対象設備１０の履歴情報を表示する。表示部５５は、対象設備１０の履歴情報のグラフ画像５５１を表示する。表示部５５は、履歴情報から特定個所を検索した結果を表示する。表示部５５は、現在の対象設備１０の事象情報のグラフと、現在の操作情報のグラフとを、グラフ画像５５１と同様に表示してもよい。
【００７３】
情報端末６０は、情報作成装置５０と同様に対象設備１０を監視する装置である。情報端末６０は、通信部６１と、操作部６２と、記憶部６３と、制御部６４と、表示部６５とを備える。通信部６１は、情報作成装置５０の通信部５１と同じ構成を有してもよい。操作部６２は、情報作成装置５０の操作部５２と同じ構成を有してもよい。記憶部６３は、情報作成装置５０の記憶部５３と同じ構成を有してもよい。制御部６４は、情報作成装置５０の制御部５４と同じ構成を有してもよい。表示部６５は、情報作成装置５０の表示部５５と同じ構成を有してもよい。表示部６５は、情報作成装置５０の表示部５５が表示している事象情報とは異なる事象情報について、現在の対象装置１０の事象情報を表示してもよい。
【００７４】
次に、情報作成システム１ａの動作を説明する。
図７は、第１の実施形態における、情報作成システム１ａの動作を示す図である。
算出部５４１は、観測された事象を表す事象情報と、対象設備１０においてなされた操作を表す操作情報と、時刻とが対応付けられた履歴情報を取得する（ステップＳ１０１）。
算出部５４１は、履歴情報に含まれている事象情報における変化量を、履歴情報に含まれている時刻について算出する（ステップＳ１０２）。
【００７５】
特定部５４２は、算出された変化量が時間帯の開始時刻の条件を満たすか否かを判定する（ステップＳ１０３）。算出された変化量が時間帯の開始時刻の条件を満たさない場合（ステップＳ１０３：ＮＯ）、特定部５４２は、履歴情報について変化量が算出される対象の時刻である対象時刻を、時刻の間隔Ｔ１だけ進める（ステップＳ１０４）。
【００７６】
算出された変化量が時間帯の開始時刻の条件を満たす場合（ステップＳ１０３：ＹＥＳ）、特定部５４２は、変化量を算出した直近の時刻を、提示情報を作成する対象の時間帯の開始時刻とする（ステップＳ１０５）。
算出部５４１は、履歴情報に含まれている事象情報における変化量を算出する（ステップＳ１０６）。
【００７７】
特定部５４２は、算出された変化量が時間帯の終了時刻の条件を満たすか否かを判定する（ステップＳ１０７）。算出された変化量が時間帯の終了時刻の条件を満たさない場合（ステップＳ１０７：ＮＯ）、特定部５４２は、履歴情報について変化量が算出される対象の時刻である対象時刻を、時刻の間隔Ｔ２だけ進める（ステップＳ１０８）。
【００７８】
算出された変化量が時間帯の終了時刻の条件を満たす場合（ステップＳ１０７：ＹＥＳ）、特定部５４２は、変化量を算出した直近の時刻を、提示情報を作成する対象の時間帯の終了時刻とする（ステップＳ１０９）。
【００７９】
作成部５４４は、開始時刻と終了時刻によって特定された時間帯について、事象情報と、操作情報と、観測時刻又は対象時刻との組を、履歴情報から抽出する（ステップＳ１１０）。
作成部５４４は、抽出した組を時系列に並べた提示用情報を作成する（ステップＳ１１１）。
【００８０】
以上のように、第１の実施形態の情報作成装置５０は、算出部５４１と、特定部５４２と、変更部５４３と、作成部５４４とを持つ。算出部５４１は、観測装置によって観測された事象を表す事象情報と、事象に応じて対象設備１０においてなされた操作を表す操作情報と、事象が観測された時刻である観測時刻とが対応付けられた履歴情報を取得し、事象情報における変化量を、複数の時刻について算出する。特定部５４２は、算出された変化量に基づいて、時刻の間隔を変化させる時間帯を特定する。変更部５４３は、特定された時間帯の対象時刻の間隔を、特定された時間帯以外の対象時刻の間隔よりも短くするよう、算出部５４１を制御する。作成部５４４は、特定された時間帯について、事象情報と、操作情報と、観測時刻又は対象時刻との組を含む提示用情報を、履歴情報に基づいて作成する。
【００８１】
これにより、第１の実施形態の情報作成装置５０、情報作成システム１ａ、及び情報作成方法は、対象設備１０に関する履歴情報の活用をより容易にできる。すなわち、第１の実施形態の情報作成装置５０、情報作成システム１ａ、及び情報作成方法は、対象設備１０に関する履歴情報から抽出した提示用情報を、特定の時間帯について詳細に残すことができる。
【００８２】
第１の実施形態の情報作成装置５０、情報作成システム１ａ、及び情報作成方法は、対象設備１０の操作情報を含む提示用情報（手引書）を、演算量を抑えて履歴情報から作成することができる。この結果、対象設備１０の運転員は、台風、豪雨や洪水が発生した場合でも、マニュアル（手引書）として使用可能な提示用情報（図６を参照）に基づいて、対象設備１０を安全に運転することができる。
【００８３】
第１の実施形態のデータベース２３のハードディスクドライブは、履歴情報と、他のデータとを区別して、それぞれ別の記憶領域に記憶してもよい。これにより、第１の実施形態のデータベース２３は、ハードディスクドライブの記憶領域が満杯になって、古い他のデータが消去されても、異常時の重要な履歴情報を記憶し続けることができる。
【００８４】
（第２の実施形態）
第２の実施形態では、対象施設が下水処理場である点が、第１の実施形態と相違する。第２の実施形態では、第１の実施形態との相違点についてのみ説明する。
【００８５】
図８は、第２の実施形態における、情報作成システム１ｂの構成を示す図である。情報作成システム１ｂは、対象設備７０と、制御装置２０と、第１観測装置３０と、第２観測装置３１と、第３観測装置３２と、中継装置４０と、情報作成装置５０と、情報端末６０とを備える。
【００８６】
情報作成装置５０と情報端末６０は、例えば、情報作成システム１ｂの中央操作室に備えられる。情報作成システム１ｂは、以下に説明する処理によって履歴情報（ヒストリカル・トレンドデータ）を作成する。情報作成システム１ｂは、作成した履歴情報に基づいて、マニュアル（手引書）として使用可能な提示用情報を作成する。提示用情報は、対象設備７０の事象情報（トレンドデータ）と操作情報と時刻との組を、時系列に並べた情報である。情報作成システム１ｂは、作成した提示用情報を、対象設備７０の運転員（オペレータ）などに提示する。
【００８７】
事象情報は、対象設備７０の敷地内や敷地外において、各種の観測装置によって観測された事象を表す情報である。これら観測された事象は、例えば、雨雲に含まれている水分の量、局地的な豪雨による降雨量、管渠又は対象設備７０における水位である。これらの事象は、連続値や離散値で表現されてもよい。また、操作情報は、対象設備７０において運転員によってなされた操作を表す情報である。
【００８８】
対象設備７０は、情報作成装置５０によって監視される対象の設備である。対象設備７０は、どのような設備でもよく、特定の設備に限定されない。第２の実施形態では、対象設備７０は、一例として、下水処理場である。対象設備７０は、流入ゲート７１と、除塵機７２と、沈砂池７３と、ポンプＰ３と、最初沈殿池７４と、反応槽７５と、ブロワ７６と、ポンプＰ４と、最終沈殿池７７と、塩素接触槽７８と、ポンプＰ５と、発電設備７９と、水位計７２１とを備える。
【００８９】
流入ゲート７１は、開度に応じて下水を通過させることにより、除塵機７２に下水を供給する。
除塵機７２は、所定の大きさ以上の材木やゴミを、下水から取り除く。除塵機７２は、複数でもよい。大雨の場合、全ての除塵機７２が運転されてもよい。除塵機７２の水位は、水位計７２１によって観測される。水位計７２１は、観測した水位情報を通信部２１に出力する。
【００９０】
沈砂池７３は、下水に含まれる土砂類を沈殿させる。
ポンプＰ３は、制御装置２０による制御に応じて、沈砂池７３の水を最初沈殿池７４に供給する。
最初沈殿池７４（第一沈澱池）は、下水に含まれる汚れを沈殿させる。
【００９１】
反応槽７５は、微生物の作用によって、下水に含まれる汚泥を塊にする。
ブロワ７６（blower）は、反応槽７５の水に空気を供給する。
ポンプＰ４は、制御装置２０による制御に応じて、反応槽７５の水を最終沈殿池７７に供給する。
最終沈殿池７７（第二沈澱池）は、ポンプＰ４から供給された水を、処理済の水と汚泥とに分離する。
塩素接触槽７８では、注入された塩素が水を消毒する。
発電設備７９は、発電した電力を、情報作成システム１ｂの各部に供給する。
ポンプＰ５は、塩素接触槽７８の水を、河川などに放流する。
【００９２】
制御装置２０は、情報作成装置５０から中継装置４０を介して受信した操作情報に基づいて、対象設備７０を制御する。
表示部５５は、提示用情報を表示する。表示部５５は、現在の対象設備７０の事象情報を表示する。表示部５５は、対象設備７０の履歴情報を表示する。表示部５５は、対象設備７０の履歴情報のグラフを表示する。
【００９３】
第２観測装置３１は、対象設備１０の敷地外に予め定められたエリアの事象を観測し、観測した事象を表す事象情報を中継装置４０に出力する。例えば、第２観測装置３１は、水位計である場合、予め定められたエリアにおける下水管の水位を観測してもよい。第３観測装置３２についても同様である。
【００９４】
図９は、第２の実施形態における、時間帯の開始時刻を定める条件を示す図である。図３に示す条件と相違する点は、第２観測装置３１が観測する対象が水位である点と、第３観測装置３２が観測する対象が水位である点とである。
【００９５】
図１０は、第２の実施形態における、時間帯の終了時刻を定める条件を示す図である。図４に示す条件と相違する点は、濁度の代わりに、水位に基づいて終了時刻を定める点である。水位に基づいて時間帯を定める理由は、下水処理場では、原水の濁度による影響よりも、水位による影響が大きいからである。
【００９６】
以上のように、第２の実施形態の情報作成装置５０は、算出部５４１と、特定部５４２と、変更部５４３と、作成部５４４とを持つ。算出部５４１は、観測装置によって観測された事象を表す事象情報と、事象に応じて対象設備７０においてなされた操作を表す操作情報と、事象が観測された時刻である観測時刻とが対応付けられた履歴情報を取得し、事象情報における変化量を、複数の時刻について算出する。特定部５４２は、算出された変化量に基づいて、時刻の間隔を変化させる時間帯を特定する。変更部５４３は、特定された時間帯の対象時刻の間隔を、特定された時間帯以外の対象時刻の間隔よりも短くするよう、算出部５４１を制御する。作成部５４４は、特定された時間帯について、事象情報と、操作情報と、観測時刻又は対象時刻との組を含む提示用情報を、履歴情報に基づいて作成する。
【００９７】
これにより、第２の実施形態の情報作成装置５０、情報作成システム１ｂ、及び情報作成方法は、対象設備７０に関する履歴情報の活用をより容易にできる。すなわち、第２の実施形態の情報作成装置５０、情報作成システム１ｂ、及び情報作成方法は、対象設備７０に関する履歴情報から抽出した提示用情報を、特定の時間帯について詳細に残すことができる。
【００９８】
第２の実施形態の情報作成装置５０、情報作成システム１ｂ、及び情報作成方法は、対象設備７０の操作情報を含む提示用情報（手引書）を、演算量を抑えて履歴情報から作成することができる。対象設備７０の運転員は、台風、豪雨や洪水が発生した場合でも、提示用情報に基づいて、対象設備７０を安全に運転することができる。
【００９９】
以上説明した少なくともひとつの実施形態によれば、特定された時間帯について、事象情報と、操作情報と、観測時刻又は対象時刻との組を含む提示用情報を履歴情報に基づいて作成する作成部を持つことにより、水処理設備に関する履歴情報の活用をより容易にできる。
【０１００】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０１】
１ａ…情報作成システム、１ｂ…情報作成システム、１０…対象設備、１１…取水ゲート、１２…沈砂池、１３…水位計、１４…着水井、１５…濁度計、１６…フロック形成池、１７…沈殿池、１８…ろ過池、１９…混和池、ＣＷ…浄水池、２０…制御装置、２１…通信部、２２…制御部、２３…データベース、３０…第１観測装置、３１…第２観測装置、３２…第３観測装置、４０…中継装置、５０…情報作成装置、５１…通信部、５２…操作部、５３…記憶部、５４…制御部、５５…表示部、６０…情報端末、６１…通信部、６２…操作部、６３…記憶部、６４…制御部、６５…表示部、７０…対象設備、７１…流入ゲート、７２…除塵機、７３…沈砂池、７４…最初沈殿池、７５…反応槽、７６…ブロワ、７７…最終沈殿池、７８…塩素接触槽、７９…発電設備、５４０…監視部、５４１…算出部、５４２…特定部、５４３…変更部、５４４…作成部、５５１…グラフ画像、５５２…開始時刻指定領域、５５３…終了時刻指定領域、７２１…水位計、Ｐ１…ポンプ、Ｐ２…ポンプ、Ｐ３…ポンプ、Ｐ４…ポンプ、Ｐ５…ポンプ、ＢＬ…バルブ
【図１】
0006367103.tif 000002
【図２】
0006367103.tif 000003
【図３】
0006367103.tif 000004
【図４】
0006367103.tif 000005
【図５】
0006367103.tif 000006
【図６】
0006367103.tif 000007
【図７】
0006367103.tif 000008
【図８】
0006367103.tif 000009
【図９】
0006367103.tif 000010
【図１０】
0006367103.tif 000011